【事件の表示】
　平成１０年特許願第　９１９２４号「情報処理装置」拒絶査定不服審判事件〔平成１１年１０月１９日出願公開、特開平１１−２８８３４４〕について、次のとおり審決する。
【結　論】
　本件審判の請求は、成り立たない。
【理　由】
１．手続の経緯・本願発明
　本願は平成１０年４月３日の出願であって、平成１７年９月８日付けで拒絶査定がなされ、これに対して平成１７年１０月１３日に拒絶査定に対する審判が請求されるとともに、同年１１月１４日付けで手続補正がなされ、当審において平成２１年６月２日付けで拒絶理由を通知したところ、同年８月６日付けで手続補正がなされたものである。
　
　本願の請求項１に係る発明は、平成２１年８月６日付け手続補正書により補正された明細書及び図面の記載からみて、特許請求の範囲の請求項１に記載された事項により特定される次のとおりのもの（以下「本願発明」という。）である。
「入出力される情報に対して実行される複数の処理機能を備え、各処理機能についての案内、選択入力、及び、処理条件の設定入力に関する表示画面を表示する表示部を備えた情報処理装置において、
　装置の原稿台に対して操作者が行った、原稿をセットして原稿台上面を閉鎖するまでの操作内容を検出する検出手段と、前記検出手段で原稿セット後に原稿台上面が閉鎖されずに開放されたままであることを検出すると、操作者が選択することが可能な処理機能として、枠消去機能、本の左右面を一度に読み取って２枚の用紙にコピーする１セット２コピー機能等、上記操作内容の検出後の操作者による使用状況に適した複数の処理機能を推定する手段を備え、この推定された複数の処理機能の存在を表示部に表示するとともに、それ以外の処理機能を該表示部に表示しない制御部を設け、
　前記制御部は、前記表示部に表示した複数の処理機能の中からいずれかの処理機能が選択されると、その処理機能の内容を説明するガイダンスを表示し、さらに、ガイダインスが表示された状態でその機能の選択操作が行われるとその機能を実行する状態に設定する情報処理装置。」
　
２．引用刊行物
　当審の拒絶理由において引用した特開平４−３０１８５９号公報（以下「引用刊行物１」という。）には、図面とともに以下の記載がある。
「【０００１】
【産業上の利用分野】この発明は、たとえば電子複写機に適用される画像形成装置に関する。」（第２頁）
　
「【０００８】
【実施例】以下、この発明の一実施例について図面を参照して説明する。
【０００９】図１、図２はこの発明の画像形成装置、たとえば複写機を概略的に示すものである。複写機本体１の上面には、原稿Ｇを支承する原稿台（透明ガラス）２が固定されている。この原稿台２には原稿Ｇのセット基準となる固定スケール２ａが設けられ、さらに原稿台２の近傍には開閉自在の原稿カバー１ａ、およびマグネットとリードスイッチとによって原稿カバー１ａの開閉状態を検知するカバー検知スイッチ６００が設けられている。」（第３頁）
　
「【００１７】また、３０ｇは多重複写などを行う場合に操作する編集キー、３０ｈは複写倍率を設定する場合に操作する倍率設定キー、３０ｉは上段，下段給紙カセット１３，１４を選択する場合に操作するカセット選択キー、３０ｋはたとえば前記編集キー３０ｇを操作し、この状態で複写条件などを設定した場合、この設定した複写条件などを記憶したり、あらかじめ記憶されている複写条件などを読出す場合に操作するモードメモリキー、３０ｌは各モードに応じた情報を得たい場合に操作するインフォメーションキーであり、たとえば用紙のジャムが発生した場合にこのキー３０ｌを操作すると、後述する表示器３０ｏにジャムを解除するための情報が表示されるようになっている。
【００１８】さらに、３０ｍはファンクションチェックキーであり、このファンクションチェックキー３０ｍを操作すると、どのような機能が設定されているかを表示器３０ｏに表示させることができる。３０ｎは表示器３０ｏのコントラストを調整するためのダイアルである。
３０ｏはたとえば液晶ドットマトリクスパネルからなる表示器であり、この表示器３０ｏには、複写機の設定状態などが文字などによって表示され、前記各種キー３０ｅ，３０ｆ，３０ｇ〜３０ｍが操作された場合、それぞれに対応する文字などの表示が行われるようになっている。この表示器３０ｏの両側部には、表示器３０ｏに表示される各種機能を選択する操作キー３０ｐ〜３０ｓ，３０ｔ〜３０ｗが配設されている。」（第４頁）
　
「【００３８】次に、上記構成の動作について、図１７に示すフローチャートを参照して説明する。たとえば今、原稿台２上に原稿Ｇが載置され、操作パネル３０の複写キー３０ａが投入されたとする（ＳＴ１）。すると、パルスモータドライバ７９を介した第１サブプロセッサ７２の制御によってモータ３３が駆動され、第１キャリッジ４１ａが複写の倍率に応じたホームポジションより第２キャリッジ４１ｂ方向の走査開始位置へ移動される。
この後、メインプロセッサ群７１の制御によって原稿検知器６３ａ，６３ｂが動作されるとともに、第１キャリッジ４１ａが第２キャリッジ４１ｂより離れる方向に移動されることにより、原稿Ｇのサイズ検知のための走査が開始される。すなわち、第１キャリッジ４１ａの移動によって原稿検知器６３ａ，６３ｂがそれぞれ原稿台２に対して直線Ａ−Ａ，Ｂ−Ｂ（第７図に示す）に沿って移動され、この移動にともなって発光素子６２の光照射による原稿面からの反射光は受光素子６１にて受光される。この受光素子６１（原稿検知器６３ａ，６３ｂ）の出力は増幅器６６によって電圧信号に変換された後、比較回路６８において基準電圧（Ｖｒｅｆ）により補正される。そして、上記比較回路６８の出力は、メインプロセッサ群７１を介して演算処理部１７０に供給され、各検知位置Ｔ，Ｕ，Ｖ，Ｗ，Ｘ，Ｙ，Ｚにおける原稿Ｇの有無が判別されることにより、原稿Ｇのサイズ検知に供される。すなわち、演算処理部１７０では、モータ３３のパルス数と位置データとから第１キャリッジ４１ａの位置が判断されるともに、上記原稿検知器６３ａ，６３ｂの出力レベルのチェックにより、各検知位置Ｔ〜Ｚにおける原稿Ｇの有無が判別される。そして、この判別結果と識別データとから原稿Ｇのサイズが識別される。画像サイズ、つまり検知された原稿サイズ（等倍時）、または原稿サイズと倍率設定キー３０ｈによって指定される倍率とによる複写サイズ（変倍時）が、カセット選択キー３０ｉによって指定されている用紙サイズと比較される。
【００３９】上記ステップ（ＳＴ１）において原稿サイズが検知され、この比較により原稿サイズまたは複写サイズが用紙サイズより小さいと判断された場合、カバー検知スイッチ３からの入力により原稿押えが解放されているか否かが判断される（ＳＴ２）。もし、原稿押えが解放されていないなら通常の画像形成動作を行い（ＳＴ７）、原稿押えが解放され、ているなら「原稿押えが開いています。周辺の枠消しを行いますか？」のメッセ−ジを表示する（ＳＴ３）。そして、Ｙｅｓキ−が押されたかが判断される（ＳＴ４）。もし、Ｙｅｓキ−が押されたなら、「周辺部消去」のメッセ−ジと共に周辺部を消去する（ＳＴ５）。アレイ駆動部１６０により消去アレイ１５０が駆動され、前述したようにメモリ１４０からのデータに応じて発光素子１５２が点灯制御される。
これにより、発光素子１５２が点灯された消去範囲に対応する、帯電器１１によって帯電された感光体ドラム１０上の表面電荷が除去された後、画像形成動作が行われる（ＳＴ７）。また、Ｙｅｓキ−が押されない場合、Ｎｏキ−が押されたか否かが判断される（ＳＴ６）。もし、Ｎｏキ−が押されたなら、通常の画像形成動作が行われる（ＳＴ７）。」（第７頁）
　
「【００４８】次に、第２の実施例について説明する。この実施例は、動作のフロ−チャ−トが第１の実施例と異なる他は第１の実施例と同様である。よって、第１の実施例と異なるフロ−チャ−トのみ説明する。
【００４９】図２２に示すフローチャートを参照して説明する。この実施例では、複写キー３０ａの状態にかかわらず、最初に、カバー検知スイッチ３からの入力により原稿押えが解放されているか否かが判断される（ＳＴ１ａ）。もし、原稿押えが解放されていない場合、複写キー３０ａが押されたか否かが判断され（ＳＴ９ａ）、複写キー３０ａが押されたなら通常の画像形成動作を行う（ＳＴ６ａ）。この場合、パルスモータドライバ７９を介した第１サブプロセッサ７２の制御によってモータ３３が駆動され、第１キャリッジ４１ａが複写の倍率に応じたホームポジションより第２キャリッジ４１ｂ方向の走査開始位置へ移動される。この後、メインプロセッサ群７１の制御によって原稿検知器６３ａ，６３ｂが動作されるとともに、第１キャリッジ４１ａが第２キャリッジ４１ｂより離れる方向に移動されることにより、原稿Ｇのサイズ検知のための走査が開始される。すなわち、第１キャリッジ４１ａの移動によって原稿検知器６３ａ，６３ｂがそれぞれ原稿台２に対して直線Ａ−Ａ，Ｂ−Ｂ（図７に示す）に沿って移動され、この移動にともなって発光素子６２の光照射による原稿面からの反射光は受光素子６１にて受光される。この受光素子６１（原稿検知器６３ａ，６３ｂ）の出力は増幅器６６によって電圧信号に変換された後、比較回路６８において基準電圧（Ｖｒｅｆ）により補正される。そして、上記比較回路６８の出力は、メインプロセッサ群７１を介して演算処理部１７０に供給され、各検知位置Ｔ，Ｕ，Ｖ，Ｗ，Ｘ，Ｙ，Ｚにおける原稿Ｇの有無が判別されることにより、原稿Ｇのサイズ検知に供される。すなわち、演算処理部１７０では、モータ３３のパルス数と位置データとから第１キャリッジ４１ａの位置が判断されるともに、上記原稿検知器６３ａ，６３ｂの出力レベルのチェックにより、各検知位置Ｔ〜Ｚにおける原稿Ｇの有無が判別される。そして、この判別結果と識別データとから原稿Ｇのサイズが識別される。画像サイズ、つまり検知された原稿サイズ（等倍時）、または原稿サイズと倍率設定キー３０ｈによって指定される倍率とによる複写サイズ（変倍時）が、カセット選択キー３０ｉによって指定されている用紙サイズと比較される。また、原稿押えが解放されている場合、「原稿押えが開いています。周辺の枠消しを行いますか？」のメッセ−ジを表示する（ＳＴ２ａ）。そして、Ｙｅｓキ−が押されたかが判断される（ＳＴ３ａ）。もし、Ｙｅｓキ−が押されたなら、複写キー３０ａが押されたか否かが判断される（ＳＴ４ａ）。もし、複写キー３０ａが押されたなら「周辺部消去」のメッセ−ジと共に周辺部を消去して（ＳＴ５ａ）、通常の画像形成動作を行う（ＳＴ６ａ）。この場合では、アレイ駆動部１６０により消去アレイ１５０が駆動され、前述したようにメモリ１４０からのデータに応じて発光素子１５２が点灯制御される。これにより、発光素子１５２が点灯された消去範囲に対応する、帯電器１１によって帯電された感光体ドラム１０上の表面電荷が除去された後、画像形成動作が行われる。また、Ｙｅｓキ−が押されない場合、Ｎｏキ−が押されたか否かが判断される（ＳＴ７ａ）。もし、Ｎｏキ−が押されて、複写キー３０ａが押されたか否かが判断され（ＳＴ８ａ）、複写キー３０ａが押されたなら通常の画像形成動作を行う（ＳＴ６ａ）。また、Ｎｏキ−が押されていない場合に、複写キー３０ａが押されたか否かが判断され（ＳＴ９ａ）、複写キー３０ａが押されたなら通常の画像形成動作を行う（ＳＴ６ａ）。ＳＴ９ａでは、複写キー３０ａが一定時間経過しても押されたないなら、ＳＴ１ａに戻るようになる。
【００５０】したがって、この実施例では、原稿カバー１ａが完全に閉じられたか否かをつねに判断して、複写キ−が押されて初めて原稿Ｇのサイズを検知する。」（第８〜９頁）
　
「【００５４】次に、第４の実施例について説明する。この実施例も、動作のフロ−チャ−トが第１の実施例と異なる他は第１の実施例と同様である。よって、第１の実施例と異なるフロ−チャ−トのみ説明する。
【００５５】図２４に示すフローチャートを参照して説明する。この実施例では、複写キー３０ａの状態にかかわらず、最初に、カバー検知スイッチ３からの入力により原稿押えが解放されているか否かが判断される（ＳＴ１ｃ）。もし、原稿押えが解放されていない場合、複写キー３０ａが押されたか否かが判断され（ＳＴ２ｃ）、複写キー３０ａが押されたなら通常の画像形成動作を行う（ＳＴ８ｃ）。この場合、パルスモータドライバ７９を介した第１サブプロセッサ７２の制御によってモータ３３が駆動され、第１キャリッジ４１ａが複写の倍率に応じたホームポジションより第２キャリッジ４１ｂ方向の走査開始位置へ移動される。この後、メインプロセッサ群７１の制御によって原稿検知器６３ａ，６３ｂが動作されるとともに、第１キャリッジ４１ａが第２キャリッジ４１ｂより離れる方向に移動されることにより、原稿Ｇのサイズ検知のための走査が開始される。すなわち、第１キャリッジ４１ａの移動によって原稿検知器６３ａ，６３ｂがそれぞれ原稿台２に対して直線Ａ−Ａ，Ｂ−Ｂ（図７に示す）に沿って移動され、この移動にともなって発光素子６２の光照射による原稿面からの反射光は受光素子６１にて受光される。この受光素子６１（原稿検知器６３ａ，６３ｂ）の出力は増幅器６６によって電圧信号に変換された後、比較回路６８において基準電圧（Ｖｒｅｆ）により補正される。そして、上記比較回路６８の出力は、メインプロセッサ群７１を介して演算処理部１７０に供給され、各検知位置Ｔ，Ｕ，Ｖ，Ｗ，Ｘ，Ｙ，Ｚにおける原稿Ｇの有無が判別されることにより、原稿Ｇのサイズ検知に供される。すなわち、演算処理部１７０では、モータ３３のパルス数と位置データとから第１キャリッジ４１ａの位置が判断されるともに、上記原稿検知器６３ａ，６３ｂの出力レベルのチェックにより、各検知位置Ｔ〜Ｚにおける原稿Ｇの有無が判別される。そして、この判別結果と識別データとから原稿Ｇのサイズが識別される。画像サイズ、つまり検知された原稿サイズ（等倍時）、または原稿サイズと倍率設定キー３０ｈによって指定される倍率とによる複写サイズ（変倍時）が、カセット選択キー３０ｉによって指定されている用紙サイズと比較される。また、原稿押えが解放されている場合、「枠消しモ−ド」のメッセ−ジを点滅表示する（ＳＴ３ｃ）。そして、枠消しモ−ドを選択するキ−が押されたかが判断される（ＳＴ４ｃ）。
もし、枠消しモ−ドを選択するキ−が押されたなら、「枠消しモ−ド」のメッセ−ジを常時点灯表示する（ＳＴ５ｃ）。そして、複写キー３０ａが押されたか否かが判断される（ＳＴ６ｃ）。もし、複写キー３０ａが押されたなら「周辺部消去」のメッセ−ジと共に周辺部を消去して（ＳＴ７ｃ）、画像形成動作を行う（ＳＴ８ｃ）。
この場合では、アレイ駆動部１６０により消去アレイ１５０が駆動され、前述したようにメモリ１４０からのデータに応じて発光素子１５２が点灯制御される。
これにより、発光素子１５２が点灯された消去範囲に対応する、帯電器１１によって帯電された感光体ドラム１０上の表面電荷が除去された後、画像形成動作が行われる。ＳＴ２ｃでは、複写キー３０ａが一定時間経過しても押されたないなら、ＳＴ１ｃに戻るようになる。ＳＴ４ｃで枠消しモ−ドを選択するキ−が押されない場合、枠消しモ−ド解除キ−が押されたか否かが判断される（ＳＴ９ｃ）。枠消しモ−ド解除キ−が押された場合には、複写キー３０ａが押されたか否かが判断される（ＳＴ１０ｃ）。もし、複写キー３０ａが押されたなら通常の画像形成動作を行う（ＳＴ８ｃ）。また、複写キー３０ａが押されないなら、「枠消しモ−ド」のメッセ−ジが消される（ＳＴ１１ｃ）。また、ＳＴ９ｃで枠消しモ−ド解除キ−が押されずに、複写キー３０ａが押されたなら（ＳＴ１２ｃ）、「周辺部消去」のメッセ−ジと共に周辺部を消去して（ＳＴ７ｃ）、画像形成動作を行う（ＳＴ８ｃ）。
【００５６】したがって、この実施例では、原稿カバー１ａが完全に閉じられたか否かをつねに判断して原稿Ｇのサイズを検知する。
【００５７】その他、この発明の要旨を変えない範囲において、種々変形実施可能なことは勿論である。」（第９〜１０頁）
　
　これら引用刊行物１の記載から、引用刊行物１には以下の発明（以下、「引用発明」という。）が記載されているものと認められる。
「ファンクションチェックキーの操作によりどのような機能が設定されているかを表示し、インフォメーションキーの操作により各モードに応じた情報（ジャムが発生した場合にはジャムを解除するための情報）を表示して、複写機の設定状態などを表示する表示器を備えた画像形成装置であって、
　倍率設定キー、多重複写などを行う場合に操作する編集キーを有し、
　原稿台に原稿が載置されると、複数の原稿検知器により原稿の有無が検知されて原稿のサイズが識別され、カバー検知スイッチからの入力により原稿押えが解放されていると判断されると、枠消しを行うかどうかの問い合わせメッセージを表示し、
　Ｙｅｓキーが押され、複写キーが押されると、枠消しがなされて画像形成動作が行われる、
　画像形成装置。」
　
３．対比
　本願発明と引用発明を対比すると、
　引用発明の「表示器」、「枠消し」は、本願発明の「表示部」、「枠消去機能」に相当する。
　引用発明の画像形成装置（複写機）は、本願発明の原稿台を有する「情報処理装置」に相当する。
　また、引用発明には明示の記載はないが、引用発明が表示部（表示器）に表示をするために本願発明の表示部に表示を行うための「制御部」に相当する手段を有していることは当然のことである。
　また、引用発明の「原稿検知器」及び「カバー検知スイッチ」は、本願発明の、装置の原稿台に対して操作者が行った、原稿をセットして原稿台上面を閉鎖するまでの操作内容を検出する「検出手段」に相当する。
　また、引用発明は原稿押えが解放されているという複写機の状態を検知して、当該状況でユーザが複写を行おうとしていることを判断して，当該状況に応じて枠消しを行うかどうかを問い合わせメッセージを表示しているから、引用発明も、本願発明の、「操作内容の検出後の操作者による使用状況に適した処理機能を推定する手段」に相当する手段を備え、本願発明と同様に「推定された処理機能の存在を表示部に表示」しているということができる。
　また、引用発明は枠消去機能（枠消し）を行うかどうかの問い合わせメッセージを表示し、Ｙｅｓキーが押されて複写キーが押されると枠消しがなされて画像形成動作が行われており、Ｙｅｓキーが押されて枠消しの機能が選択されるとその機能を実行する状態に設定されているから、引用発明の情報処理装置は、本願発明と同様に、「機能の選択操作が行われるとその機能を実行する状態に設定」しているということができる。
　
　したがって、両者は
「入出力される情報に対して実行される複数の処理機能を備え、各処理機能についての案内、選択入力、及び、処理条件の設定入力に関する表示画面を表示する表示部を備えた情報処理装置において、
　装置の原稿台に対して操作者が行った、原稿をセットして原稿台上面を閉鎖するまでの操作内容を検出する検出手段と、前記検出手段で原稿セット後に原稿台上面が閉鎖されずに開放されたままであることを検出すると、操作者が選択することが可能な処理機能として、枠消去機能、上記操作内容の検出後の操作者による使用状況に適した処理機能を推定する手段を備え、この推定された処理機能の存在を表示部に表示する制御部を設け、
　前記制御部は、その機能の選択操作が行われるとその機能を実行する状態に設定する情報処理装置。」の点で一致し、以下の点で相違する。
　
相違点１
　本願発明は、枠消去機能、本の左右面を一度に読み取って２枚の用紙にコピーする１セット２コピー機能等、複数の処理機能を推定する手段を備え、本願発明の制御部は、推定された複数の処理機能の存在を表示部に表示しているのに対して、引用発明は、処理機能として枠消去機能を推定する手段を備え、引用発明の制御部は推定された処理機能の存在を表示部に表示しているが、本の左右面を一度に読み取って２枚の用紙にコピーする１セット２コピー機能等、複数の処理機能を推定することについては記載がなく、したがって、制御部は推定された複数の処理機能の存在を表示部に表示するものではない点。
　
相違点２
　本願発明の制御部は、推定された処理機能の存在を表示部に表示するとともに、それ以外の処理機能を該表示部に表示しないのに対して、引用発明の制御部は推定された処理機能の存在を表示部に表示しているが、それ以外の処理機能を該表示部に表示しないものかどうか明らかではない点。
　
相違点３
　本願発明の制御部は、前記表示部に表示した複数の処理機能の中からいずれかの処理機能が選択されると、その処理機能の内容を説明するガイダンスを表示し、さらに、ガイダインスが表示された状態でその機能の選択操作が行われるとその機能を実行する状態に設定するのに対して、引用発明の制御部は機能の選択操作が行われるとその機能を実行する状態に設定しているが、表示部に表示した複数の処理機能の中からいずれかの処理機能が選択されると、その処理機能の内容を説明するガイダンスを表示し、さらに、ガイダインスが表示された状態でその機能の選択操作が行われるとその機能を実行する状態に設定することについて記載されていない点。
　
４．当審の判断
　以下、上記相違点について検討する。
相違点１について
　複写機等においては一般に、複数の機能が設けられてユーザがそれらの機能を適宜に選択可能であることは当然であって、原稿台正面が解放されたままとなる本の複写を行う場合に、１セット２コピー機能により複写を行うことがあることも周知である。
　そうすると、引用発明の検出手段で原稿セット後に原稿台上面が閉鎖されずに開放されたままであることを検出した場合に枠消去機能を推定することに加えて、本の左右面を一度に読み取って２枚の用紙にコピーする１セット２コピー機能等、複数の処理機能を推定するようにすること、そして、その際に制御部は、推定された複数の処理機能の存在を表示部に表示するように構成することは周知技術に基づいて当業者が容易に想到し得ることである。
　
相違点２について
　引用発明の制御部は処理機能の存在を表示部に表示しているが、その際にそれ以外の情報を表示することについて記載されていないこと、表示部にどのような情報を表示するかは設計的事項であることから、引用発明の制御部において、推定された処理機能以外の処理機能を該表示部に表示しないように構成することは当業者が適宜になし得ることである。
　
相違点３について
　一般に情報処理装置において、表示された処理機能についてその内容を説明するガイダンスを表示することは周知である。また、情報処理装置において、選択された処理機能を実行可能に設定することも周知である。
　そうすると、引用発明において上記のように相違点１に係る構成を採用した場合において、引用発明の制御部を、表示部に表示した複数の処理機能の中からいずれかの処理機能が選択されると、その処理機能の内容を説明するガイダンスを表示し、さらに、ガイダインスが表示された状態でその機能の選択操作が行われるとその機能を実行する状態に設定することは当業者が周知技術に基づいて容易になし得ることである。
　
　そして、本願発明のように構成したことによる効果も引用発明及び周知技術から予想できる程度のものであって、格別のものではない。
　
　したがって、本願発明は、引用発明及び周知技術に基づいて当業者が容易に発明をすることができたものである。
　
５．むすび
　以上のとおり、本願発明は、引用発明及び周知技術に基づいて当業者が容易に発明をすることができたものであるので、特許法第２９条第２項の規定により特許を受けることができない。
　
　よって、結論のとおり審決する。